(57)【要約】【課題】カード挿入／排出時の操作性を向上し、かつ装着状態のカードの抜け出しを確実に防止できるカード用コネクタ装置を提供すること。【解決手段】ハウジング２と、スライダ１５と、スライダ１５を小型メモリカード３４の排出方向へ向けて弾性付勢するコイルバネ１７と、該カード３４の装着位置でスライダ１５がロックされると共に該カード３４をその装着位置から一旦奥方へ押し込むことによりスライダ１５のロック状態が解除される排出機構３とを備え、スライダ１５にカード３４の凹部３４ｂと係脱可能な突出部２０を形成し、該カード３４の排出位置で突出部３４が凹部３４ｂから離脱する方向にスライダ１５を揺動可能となすと共に、該カード３４の装着位置で突出部２０が凹部３４ｂから離脱しない方向へスライダ１５の動きを規制するように構成した。【選択図】　　　図１５
2004039437.tif 000002
【特許請求の範囲】
【請求項１】
カードが挿入される挿入空間を有するハウジングと、該カードと係合したまま該カードの挿入排出方向に沿って往復移動可能なスライダと、該スライダを前記カードの排出方向へ向けて弾性付勢する付勢部材と、前記カードが前記ハウジングへ装着される位置で前記スライダをロックするロック機構と、該カードをその装着位置から一旦奥方へ押し込むことにより前記スライダのロック状態を解除するロック解除機構とを備え、
前記スライダに前記カードの側縁部に形成された凹部と係脱可能な突出部を形成し、前記カードの排出位置で前記突出部が前記凹部から離脱する方向に前記スライダを変位可能となすと共に、前記カードの装着位置で前記突出部が前記凹部から離脱しない方向へ前記スライダの動きを規制したことを特徴とするカード用コネクタ装置。
【請求項２】
請求項１の記載において、前記ロック機構と前記ロック解除機構は、前記スライダに揺動可能に支持された係合ピンと、前記ハウジングに形成されたハート型カム溝とから構成され、該ハート型カム溝は、前記係合ピンの自由端部を係止して前記カードを装着位置に保持するためのピン係止部と、前記カードを装着位置から排出する過程で前記係合ピンの自由端部をガイドする排出経路とを有し、前記カードを装着位置から一旦奥方へ押し込むことにより、前記ピン係止部に係止された前記係合ピンの自由端部が前記排出経路へ移動して前記スライダのロック状態が解除されることを特徴とするカード用コネクタ装置。
【請求項３】
請求項１または２の記載において、前記ハウジングに切欠部と前記スライダの往復移動をガイドするガイド壁とを形成すると共に、前記スライダのカード排出方向側端部に前記突出部と規制部とを形成し、前記カードの排出位置で前記規制部を前記切欠部に対向させることにより、前記スライダを揺動可能となすと共に、前記カードの装着位置で前記規制部を前記ガイド壁に当接させることにより、前記スライダの揺動を規制するように構成したことを特徴とするカード用コネクタ装置。
【請求項４】
請求項３の記載において、前記スライダにガイド突出部を形成すると共に、前記ハウジングに該ガイド突出部が挿入されるガイド溝を形成し、前記スライダのカード挿入方向側端部を前記ガイド溝と前記ガイド壁によりその両側方向への動きが規制されるように構成したことを特徴とするカード用コネクタ装置。
【請求項５】
請求項３または４の記載において、前記付勢部材に前記スライダを前記カードの排出方向に対して斜めに付勢する分力を付与し、該分力により前記スライダの突出部を前記カードの凹部に係合する方向へ付勢するように構成したことを特徴とするカード用コネクタ装置。
【請求項６】
請求項５の記載において、前記突出部を前記挿入空間に向かって突出する山形状に形成し、該カードを挿入する過程で、該カードの前縁部が該突出部の手方側の斜面を押圧することにより、該突出部が該カードの凹部から離脱する方向に揺動し、該カードを排出する過程で、前記凹部の縁部が前記突出部の奥方側の斜面を押圧することにより、該突出部が該カードの凹部から離脱する方向に揺動するように構成したことを特徴とするカード用コネクタ装置。
【発明の詳細な説明】
【０００１】
【発明の属する技術分野】
本発明は、小型メモリカード等のカードを装着して使用するカード用コネクタ装置に係り、特に、カードを装着した状態で一旦奥方へ押し込むことにより、該カードが排出されるように構成されたカード用コネクタ装置に関する。
【０００２】
【従来の技術】
カード用コネクタ装置は、例えばデジタルカメラやＰＤＡ（パーソナル・データ・アシスタンス：携帯端末）等の各種電子機器に搭載され、このカード用コネクタ装置に小型メモリカード等のカードを装着して、電子データを記憶させたり、あるいは小型メモリカードに記憶された電子データの電子機器への読み込みを行わせるようになっている。
【０００３】
この種のカード用コネクタ装置の従来例として、カードが挿入される挿入空間を有するハウジングと、このハウジングに固定されて挿入空間内に露出する複数の接続端子と、前記カードと係合したまま該カードの挿入排出方向に沿って往復移動可能なスライダと、該スライダを前記カードの排出方向へ向けて弾性付勢する付勢部材と、前記カードが前記ハウジングへ装着される位置で前記スライダをロックするロック機構と、該カードをその装着位置から一旦奥方へ押し込むことにより前記スライダのロック状態を解除するロック解除機構とを備えたものが知られている。
【０００４】
このよううな構成のカード用コネクタ装置では、カードをハウジングに装着した状態で該カードの端子に接続端子が圧接することにより、該カードが装着位置に保持されるようになっている。また、スライダにカードの挿入方向へ突出する弾性片を設け、該弾性片をカードの側縁部に形成された凹部に弾性的に係合することにより、装着中のカードが振動等の外力によって不用意に抜け出さないようになっている。
【０００５】
【発明が解決しようとする課題】
ところで、前述した従来のカード用コネクタ装置においては、スライダに設けた弾性片をカードの凹部に弾性付勢することにより、該カードを装着位置に保持するようにしているため、確実な保持を実現するには弾性片の付勢力を比較的大きく設定する必要がある。しかしながら、付勢力の大きな弾性片を用いるとカードの抜け防止には効果があるが、カードの側縁部へ加わる弾性片の摺動負荷も大きくなるため、弾性片の大きな摺動負荷に抗してカードを押し込んだり引き出さなくてはならず、カードの挿入／排出時の操作性が悪くなるという問題があった。また、スライダに別部品である弾性片を設ける必要があるため、部品点数が増加してしてコストアップを招来するという問題もあった。なお、付勢力の比較的小さな弾性片を用いれば、カード挿入／排出時の操作性を向上することはできるが、その反面、弾性片によるカードの保持力が低下するため、装着中のカードが抜けやすくなってしまうという問題が発生する。
【０００６】
本発明は、このような従来技術の実情に鑑みてなされたもので、その目的は、カード挿入／排出時の操作性を向上し、かつ装着状態のカードの抜け出しを確実に防止できるカード用コネクタ装置を提供することにある。
【０００７】
【課題を解決するための手段】
上記目的を達成するために、本発明によるカードコネクタ装置では、カードが挿入される挿入空間を有するハウジングと、該カードと係合したまま該カードの挿入排出方向に沿って往復移動可能なスライダと、該スライダを前記カードの排出方向へ向けて弾性付勢する付勢部材と、前記カードが前記ハウジングへ装着される位置で前記スライダをロックするロック機構と、該カードをその装着位置から一旦奥方へ押し込むことにより前記スライダのロック状態を解除するロック解除機構とを備え、前記スライダに前記カードの側縁部に形成された凹部と係脱可能な突出部を形成し、前記カードの排出位置で前記突出部が前記凹部から離脱する方向に前記スライダを変位可能となすと共に、前記カードの装着位置で前記突出部が前記凹部から離脱しない方向へ前記スライダの動きを規制するように構成した。
【０００８】
このように構成されたカードコネクタ装置によれば、カードをハウジングに対して挿入／排出するときには、スライダの突出部を該カードの凹部から離脱させることができるので、突出部がカードの側縁部に与える摺動負荷を低減させることができ、カード挿入／排出時の操作性を向上させることができる。また、カードがハウジングに装着された状態では、カードの凹部に係合させた突出部が該凹部から離脱しない方向へスライダの動きを規制するようにしたので、カードコネクタ装置に振動等の外力が加わったとしても、カードを装着位置に保持して不用意な抜け出しを確実に防止できる。さらに、スライダに別部品を設けることなくカードの抜け防止機構を構成できるので、部品点数を削減して低コストのカード用コネクタ装置を実現することができる。
【０００９】
また、上記の構成において、前記ロック機構と前記ロック解除機構は、前記スライダに一端部が軸支され他端部が揺動可能に設けられた係合ピンと、前記ハウジングに形成されたハート型カム溝とから構成され、該ハート型カム溝は、前記係合ピンの他端部を係止して前記カードを装着位置に保持するためのピン係止部と、前記カードを装着位置から排出する過程で前記係合ピンの他端部をガイドする排出経路とを有し、前記カードを装着位置から一旦奥方へ押し込むことにより、前記ピン係止部に係止された前記係合ピンの他端部が前記排出経路へ移動して前記スライダのロック状態が解除されるように構成することが好ましく、このようような構成を採用すると、ロック機構とロック解除機構を簡単な構成で実現することができると共に、カードのハウジングへの装着および排出動作をそれぞれ１プッシュ操作で行うことができるので、操作性に優れたカード用コネクタ装置を低コストで実現できる。
【００１０】
また、上記の構成において、前記ハウジングに切欠部と前記スライダの往復移動をガイドするガイド壁とを形成すると共に、前記スライダのカード排出方向側端部に前記突出部と規制部とを形成し、前記カードの排出位置で前記規制部を前記切欠部に対向させることにより、前記スライダを揺動可能となすと共に、前記カードの装着位置で前記規制部を前記ガイド壁に当接させることにより、前記スライダの揺動を規制するように構成することが好ましく、このような構成を採用すると、スライダの突出部をカードの凹部から離脱しない方向へ規制する機構を簡単な構成で実現することができる。
【００１１】
また、上記の構成において、前記スライダにガイド突出部を形成すると共に、前記ハウジングに該ガイド突出部が挿入されるガイド溝を形成し、前記スライダのカード挿入方向側端部を前記ガイド溝と前記ガイド壁によりその両側方向への動きが規制されるように構成することが好ましく、このような構成を採用すると、スライダの揺動動作と往復移動とを共に円滑に行わせることができる。
【００１２】
また、上記の構成において、前記付勢部材に前記スライダを前記カードの排出方向に対して斜めに付勢する分力を付与し、該分力により前記スライダの突出部を前記カードの凹部に係合する方向へ付勢するように構成することが好ましく、このような構成を採用すると、共通の付勢部材によってスライダの揺動動作と排出方向への復帰動作を行わせることができる。
【００１３】
また、上記の構成において、前記突出部を前記挿入空間に向かって突出する山形状に形成し、該カードを挿入する過程で、該カードの前縁部が該突出部の手方側の斜面を押圧することにより、該突出部が該カードの凹部から離脱する方向に揺動し、該カードを排出する過程で、前記凹部の縁部が前記突出部の奥方側の斜面を押圧することにより、該突出部が該カードの凹部から離脱する方向に揺動するように構成することが好ましく、このような構成を採用すると、カードの挿入時に突出部をカードの凹部に確実に係合せることができると共に、カードをハウジングから抜き取る際に、突出部をカードの凹部から確実に離脱させることができる。
【００１４】
【発明の実施の形態】
発明の実施の形態について図面を参照して説明すると、図１は本発明の実施形態例に係るカード用コネクタ装置の平面図、図２は該カード用コネクタ装置の左側面図、図３は該カード用コネクタ装置に備えられるハウジングの平面図、図４は図３のＡ−Ａ線に沿う断面図、図５は図３のＢ−Ｂ線に沿う断面図、図６は該カード用コネクタ装置に備えられるスライダの平面図、図７は該スライダの右側面図、図８は該スライダの左側面図、図９は該スライダ周辺の組立状態を説明するための一部平面図、図１０は該スライダの動作を説明するための一部平面図、図１１は該ハウジングに形成されたカム溝の平面図、図１２は該カード用コネクタ装置に備えられるカバーの平面図、図１３は該カバーの正面図、図１４〜図１８は小型メモリカードの装着動作を示す説明図、図１９〜図２１は小型メモリカードの排出動作を示す説明図である。
【００１５】
図１〜図１３に示すように、本実施形態例に係るカード用コネクタ装置１は、主としてハウジング２と排出機構３およびカバー４とから構成されている。
【００１６】
図３〜図４に示すように、ハウジング２は、合成樹脂製のフレーム５と、このフレーム５にインサート成形により固着された複数の接続端子６とから構成されている。フレーム５の左側部には、左側壁７の後部側（図３の上方側）に位置するガイド壁８と、このガイド壁８の前端部に位置する切欠部９と、底面の一部を貫通する矩形状のガイド溝１０と、底面の前端部に位置するカム溝１１とが形成されている。これらガイド壁８と切欠部９とガイド溝１０およびカム溝１１は排出機構３の一部をなしている。フレーム５の幅方向の両側壁面には、２つの凸状の係止部１２，１２がそれぞれ形成されている。接続端子６はフレーム５の後壁部に一定の間隔で配置されており、この後壁部の前面から突出した接続端子６は後述する小型メモリカードの端子に弾接させるためのコンタクト部１３を構成し、反対側の壁面からの突出部分は半田付け部１４を構成している。これら半田付け部１４は、各種電子機器の図示せぬ回路基板に設けられた電子回路に半田付けされるようになっている。
【００１７】
図１に示すように、排出機構３はハウジングの平面視左側部に設けられており、スライダ１５と係合ピン１６およびコイルバネ１７（付勢部材）とを備えている。図６〜図８に示すように、スライダ１５は基体部１８とバネ係止軸１９とから構成されており、バネ係止軸１９は基体部１８の後方側の端部から円筒状に突設している。基体部１８の前端部には突出部２０と規制部２１および軸受孔２２が形成されており、突出部２０は前方側および後方側に斜面２０ａ，２０ｂをそれぞれ有した平面視山形状をなしている。規制部２１は突出部２０の反対側に位置して平面視矩形状に形成されており、軸受孔２２は突出部２０の上面と下面を貫通するように形成されている。また、基体部１８の後端部には、小型メモリカードの前縁部に係合可能な係合部２３と、規制部２１と同じ側に位置する凸部２４とが形成されている。さらに、基体部１８の裏面には前後方向を長手とする長円状のガイド突出部２５が突設されている。なお、図６に示すように、スライダ１５は、凸部２４の先端面２４ａとガイド突出部２５の外側壁面２５ａとの間の距離をｄとすると、バネ係止軸１９の中心線Ｎが距離ｄの中点位置よりも左方向に距離δだけ偏倚するように構成されている。
【００１８】
図９に示すように、スライダ１５はフレーム５の底面上に載置されており、この状態でガイド突出部２５はガイド溝１０に挿入され、規制部２１と凸部２４はガイド壁８に対向している。したがって、スライダ１５はガイド壁８とガイド溝１０の外側壁１０ａによって幅方向の動きが規制されると共に、小型メモリカードの挿入排出方向にスムーズに往復移動できるようになっている。ただし、ガイド突出部２５の幅ｄ２がガイド溝１０の幅Ｄ２よりも小さく設定されているため、規制部２１がガイド壁８の切欠部９に対面しているときだけ、ガイド突出部２５はガイド溝１０内をその幅方向に移動可能となっている。これにより、スライダ１５の前端部は後端部の凸部２４を支点として揺動可能となっている。また、スライダ１５のバネ係合軸２３にコイルバネ１７の一端部が嵌着され、このコイルバネ１７の他端部はフレーム５の後部壁に係止されている（図１参照）。これにより、スライダ１５はカード排出方向へ向けて弾性付勢されると共に、ガイド突出部２５の先端面がガイド溝１０の前端壁に当接することで、スライダ１５は小型メモリカードの排出位置（初期状態）に保持される。前述した切欠部９は、この初期状態における規制部２１の位置に対向して設けられている。さらに、コイルバネ１７の付勢力Ｆをバネ係止軸１９の中心に作用させることで、スライダ１５にその後端部の中心まわりのモーメント（反時計回り）が与えられ、このモーメントにより突出部２０は図９の中矢印ｆへ付勢されている。
【００１９】
図１０に示すように、スライダ１５の初期状態で突出部２０を外方に押圧する力Ｇが与えられると、規制部２１が切欠部９内に逃げることによって、スライダ１５は後端部の凸部２４を支点として時計回りに揺動できるようになっている。ただし、スライダ１５が初期状態以外の位置に移動したときには、前述したように、スライダ１５はガイド壁８とガイド溝１０の外側壁１０ａによって幅方向の動きが規制されるため、スライダ１５の揺動動作は規制される。
【００２０】
図１に示すように、係合ピン１６の一端部１６ａはスライダ１５に形成した軸受孔２２（図６参照）に軸支されており、これにより係合ピン１６の自由端側の他端部１６ｂが揺動可能となっている。図１１に示すように、カム溝１１にはハート型カム溝２６と案内溝２７とが設けられており、この案内溝２７はハート型カム溝２６に連通して前方へ延びている。ハート型カム溝２６は、係合ピン１６の他端部１６ｂの挿入経路２６ａおよび排出経路２６ｂと、該他端部１６ｂを係止して小型メモリカードを装着位置に保持するためのピン係止部２６ｃとを有している。
【００２１】
図１２と図１３に示すように、カバー４は金属板からなり、平面視長方形状の天板２８と、この天板２８の幅方向に対向する左右の端縁からそれぞれ直角に折り曲げ形成された側板２９，２９とからなっている。天板２８の前方で左側の縁部には切り起こした切り起こし片３１が形成されており、側板２９，２９にはそれぞれ２つの四角孔３０，３０が形成されている（図２参照）。このカバー４はその天板２８がハウジング２の上部を、側板２９，２９がハウジング２の両側面を覆うように装着され、両側板２９，２９の四角孔３０，３０がフレーム５の両側壁面の係止部１２，１２にスナップ止めされることで、カバー４がハウジング２から脱落するのを防止している。また、天板２８に形成した切り起こし片３１はフレーム５のカム溝１１を一部覆うように配置され、係合ピン１６を弾性的にカム溝１１方向に押圧するようになっている。これにより、係合ピン１６の他端部１６ｂがカム溝１１の底面を確実に摺動し、カム動作を安定して行うことができるようになっている。なお、ハウジング２とカバー４との間に挿入空間３３が形成されており（図１参照）、小型メモリカードは開口端３２（カード挿入口）側から挿入空間３３内に挿入されるようになっている。
【００２２】
次に、上記のごとく構成されたカード用コネクタ装置１の動作について説明する。まず、小型メモリカードをカード用コネクタ装置１へ装着する動作について図１４〜図１８を参照して説明する。
【００２３】
最初に、カード用コネクタ装置１に用いられるカードの一例である小型メモリカードについて説明すると、この小型メモリカード３４は長方形の板状部材であり、その先端部の下面に幅方向に所定の間隔を有して配置された複数の端子３４ａが設けられ、一側縁にはスライダ１５に形成された突出部２０と係脱可能な凹部３４ｂが設けられている。
【００２４】
本実施形態例に係るカード用コネクタ装置１の初期状態では、図１に示すように、スライダ１５はコイルバネ１７の付勢力によってその移動範囲の最も手前位置に保持されており、突出部２０は小型メモリカード３４が挿入される挿入空間３３に突出するように付勢されている。このとき、係合ピン１６の他端部１６ｂは図１１に示す案内溝２７の前端部に位置している。
【００２５】
図１４は操作者が手動により小型メモリカード３４をカード挿入口３２に挿入した直後の状態を示しており、この場合、突出部２０は挿入空間３３に突出したままである。この状態から小型メモリカード３４の後端部を押し込むと、図１５に示すように、突出部２０の前方側の斜面２０ａが小型メモリカード３４の前縁部により押圧され、スライダ１５が凸部２４を支点として時計回りに揺動する。すなわち、挿入中の小型メモリカード３４が突出部２０を外方に押圧することにより、規制部２１が切欠部９内に移動すると共に、突出部２０が小型メモリカード３４から離脱する方向に変位するため、挿入時の小型メモリカード３４の側縁部に加わる摺動負荷を低減することができる。
【００２６】
さらに小型メモリカード３４を押し込むと、突出部２０は小型メモリカード３４の前端部がスライダ１５の係合部２３に当接するまで、小型メモリカード３４の側縁部に押されたままの状態に維持される。そして、小型メモリカード３４の前端部がスライダ１５の係合部２３に当接すると、図１６に示すように、小型メモリカード３４が係合部２３を押圧することにより、スライダ１５が凸部２４を支点として反時計回りに揺動する。その結果、突出部２０が小型メモリカード３４の凹部３４ｂに係合し、さらに小型メモリカード３４を押し込むと、スライダ１５は小型メモリカード３４の移動に追従する。この移動過程で小型メモリカード３４の端子３４ａが接続端子６のコンタクト部１３に接触し、次いで、図１７に示すように、小型メモリカード３４の前縁部がフレーム５の後壁面に当接するまで押し込まれる。
【００２７】
このような小型メモリカード３４の押し込み操作により、図１１に矢印Ｈで示すように、係合ピン１６の他端部１６ｂが案内溝２７からハート型カム溝２６の挿入経路２６ａ内に移動し、さらに、ピン係止部２６ｃを通り越して奥方へと移動する。この状態で小型メモリカード３４への押し込み操作力を除去すると、スライダ１５がコイルバネ１７の付勢力で手前へ押し戻されるため、図１１に矢印Ｉで示すように、係合ピン１６の他端部１６ｂがピン係止部２６ｃに移動して係止される。その結果、図１８に示すように、係合ピン１６の移動に伴ってスライダ１５と小型メモリカード３４も手前へ押し戻され、小型メモリカード３４は各端子３４ａをコンタクト部１３に接触させた状態のままカード装着位置に保持されることになる。このカード装着位置においてスライダ１５の規制部２１はガイド壁８に当接しているため、スライダ１５は幅方向の動きが規制されている。すなわち、小型メモリカード３４がハウジング２に装着された状態では、小型メモリカード３４の凹部３４ｂに係合した突出部２０が該凹部３４ｂから離脱する方向への移動を規制されるので、カード用コネクタ装置１に振動等の外力が加わった場合でも、小型メモリカード３４がハウジング２から不用意に抜け出してしまうことを確実に防止できる。
【００２８】
次に、ハウジング２に装着された小型メモリカード３４を排出する動作について図１８〜図２１を参照して説明する。
【００２９】
前述したように、図１８はハウジング２に小型メモリカード３４が装着された状態を示しており、この状態から操作者が手動により小型メモリカード３４の後端面を押し込むと、図１９に示すように、小型メモリカード３４はその装着位置から一旦奥方へ移動してハウジング２の後壁面に当接する。これに伴ってスライダ１５も奥方へ移動するため、図１１に矢印Ｊで示すように、係合ピン１６の他端部１６ｂがピン係止部２６ｃから離脱して奥方の排出経路２６ｂ内へと移動する。この状態でスライダ１５のロック状態が解除されるため、小型メモリカード３４への押し込み操作力を除去すると、コイルバネ１７の付勢力でスライダ１５が手前へ押し戻されて初期状態に戻る。
【００３０】
このようにしてスライダ１５が手前へ押し戻されると、図１１に矢印Ｋで示すように、係合ピン１６の他端部１６ｂが排出経路２６ｂから案内溝２７へと移動する。この過程で小型メモリカード３４の各端子３４ａはコンタクト部１３から離脱し、図２０に示すように、係合ピン１６の他端部１６ｂが案内溝２７の前端部まで移動すると、小型メモリカード３４はカード挿入口３２から後端部を突出させた排出位置へと移動する。この排出位置で操作者が小型メモリカード３４の後端部を摘んで手前に引き抜くと、図２１に示すように、突出部２０の後方側の斜面２０ｂが凹部３４ａの縁部によって押圧されるため、スライダ１５が凸部２４を支点として時計回りに揺動し、突出部２０が凹部３４ｂから離脱する。すなわち、排出中の小型メモリカード３４が突出部２０を外方に押圧することにより、規制部２１が切欠部９内に移動すると共に、突出部２０が小型メモリカード３４から離脱する方向に変位する。したがって、小型メモリカード３４をカード挿入口３２から抜き取る排出時においても、小型メモリカード３４の側縁部に加わる摺動負荷を低減することができる。
【００３１】
なお、図３から明らかなように、本実施形態例では、フレーム５の底面から起立するガイド壁８に対して底面を貫通するガイド溝１０が隣接形成されているため、ガイド壁８を構成する左側壁７が外側へ変形しやすい構造となっている。このような構造を採用しているため、図１８に示す小型メモリカード３４の装着状態において、小型メモリカード３４を無理に引き抜こうとしてスライダ１５に大きな力が加わったとしても、左側壁７が変形することによってスライダ１５全体を外側に逃がすことができる。すなわち、小型メモリカード３４の無理抜き操作時においても、突出部２０がカード３４の凹部３４ｂから離脱する方向に変位するので、小型メモリカード３４を比較的低負荷の状態で引き抜くことが可能となり、スライダ１５等が破損してしまうことを回避することができる。
【００３２】
【発明の効果】
本発明は、以上説明したような形態で実施され、以下に記載されるような効果を奏する。
【００３３】
カードをハウジングに対して挿入／排出するときには、スライダの突出部を該カードの凹部から離脱させることができるので、突出部がカードの側縁部に与える摺動負荷を低減させることができ、カード挿入／排出時の操作性を向上させることができる。また、カードがハウジングに装着された状態では、カードの凹部に係合させた突出部が該凹部から離脱しない方向へスライダの動きを規制するようにしたので、カードコネクタ装置に振動等の外力が加わったとしても、カードを装着位置に保持して不用意な抜け出しを確実に防止できる。さらに、スライダに別部品を設けることなくカードの抜け防止機構を構成できるので、部品点数を削減して低コストのカード用コネクタ装置を実現することができる。
【図面の簡単な説明】
【図１】本発明の実施形態例に係るカード用コネクタ装置の平面図である。
【図２】該カード用コネクタ装置の左側面図である。
【図３】該カード用コネクタ装置に備えられるハウジングの平面図である。
【図４】図３のＡ−Ａ線に沿う断面図である。
【図５】図３のＢ−Ｂ線に沿う断面図である。
【図６】該カード用コネクタ装置に備えられるスライダの平面図である。
【図７】該スライダの右側面図である。
【図８】該スライダの左側面図である。
【図９】該スライダ周りの組立状態を説明するための一部平面図である。
【図１０】該スライダの動作を説明するための一部平面図である。
【図１１】該ハウジングに形成されたカム溝の平面図である。
【図１２】該カード用コネクタ装置に備えられるカバーの平面図である。
【図１３】該カバーの正面図である。
【図１４】小型メモリカードの装着動作を示す説明図である。
【図１５】小型メモリカードの装着動作を示す説明図である。
【図１６】小型メモリカードの装着動作を示す説明図である。
【図１７】小型メモリカードの装着動作を示す説明図である。
【図１８】小型メモリカードの装着動作を示す説明図である。
【図１９】小型メモリカードの排出動作を示す説明図である。
【図２０】小型メモリカードの排出動作を示す説明図である。
【図２１】小型メモリカードの排出動作を示す説明図である。
【符号の説明】
１　カードコネクタ装置
２　ハウジング
３　排出機構
４　カバー
５　フレーム
６　接続端子
８　ガイド壁
９　切欠部
１０　ガイド溝
１１　カム溝
１３　コンタクト部
１５　スライダ
１６　係合ピン
１６ａ　一端部
１６ｂ　他端部
１７　コイルバネ（付勢部材）
１８　基体部
２０　突出部
２０ａ，２０ｂ　斜面
２１　規制部
２３　係合部
２４　凸部
２５　ガイド突出部
２６　ハート型カム溝
２６ａ　挿入経路
２６ｂ　排出経路
２６ｃ　ピン係止部
３２　カード挿入口
３３　挿入空間
３４　小型メモリカード（カード）
３４ａ　端子
３４ｂ　凹部
【図１】
2004039437.tif 000003
【図２】
2004039437.tif 000004
【図３】
2004039437.tif 000005
【図４】
2004039437.tif 000006
【図５】
2004039437.tif 000007
【図６】
2004039437.tif 000008
【図７】
2004039437.tif 000009
【図８】
2004039437.tif 000010
【図９】
2004039437.tif 000011
【図１０】
2004039437.tif 000012
【図１１】
2004039437.tif 000013
【図１２】
2004039437.tif 000014
【図１３】
2004039437.tif 000015
【図１４】
2004039437.tif 000016
【図１５】
2004039437.tif 000017
【図１６】
2004039437.tif 000018
【図１７】
2004039437.tif 000019
【図１８】
2004039437.tif 000020
【図１９】
2004039437.tif 000021
【図２０】
2004039437.tif 000022
【図２１】
2004039437.tif 000023